(57)【要約】【課題】着信拒否電話番号の着信拒否リストへの登録が簡単になる電話機を提供する。【解決手段】着信が発生すると計時を開始し、所定時間以上呼び出しの継続しなかった着信については、その発信者電話番号を着信拒否リストに登録する。【選択図】      図１
2004328551.tif 000002
【特許請求の範囲】
【請求項１】
通信手段と、記憶手段と、操作手段と、前記記憶手段に記憶した着信拒否リストに登録した電話番号からの着信については着信報知を行わないよう制御する制御手段とを備えた電話機において、
前記制御手段は、着信が発生すると計時を開始し、所定時間以上呼び出しの継続しなかった着信について、その発信者電話番号を前記着信拒否リストに登録することを特徴とする電話機。
【請求項２】
請求項１に記載の電話機において、前記制御手段は、前記計時を開始してから前記所定時間内の間に前記操作手段による応答操作がなされた場合にも前記計時を継続し、前記所定時間を計時するまでに切断のなされた着信について、その発信者電話番号を前記着信拒否リストに登録することを特徴とする電話機。
【請求項３】
請求項１または２に記載の電話機において、前記制御手段は、前記計時を、電話帳に登録されていない電話番号からの着信に対して行うよう制御することを特徴とする電話機。
【発明の詳細な説明】
【０００１】
【発明の属する技術分野】
本発明は電話機に関し、特に着信拒否機能に関するものである。
【０００２】
【従来の技術】
【特許文献１】
特開平６−２４４９４３号公報
【０００３】
最近、いわゆる「ワン切り詐欺」という犯罪が増加している。これは、着信履歴機能を利用したもので、ごく短い発呼を無差別に行い、ユーザの着信履歴に電話番号を残しておく。ユーザがその電話番号に対して電話をかけ直すと、有料ダイヤルにつながり、法外な料金を請求されるというものである。
【０００４】
これは、新しいタイプの犯罪のため、特にこれに対応する機能はみられないが、一般的には、特許文献１で開示されるように着信拒否電話番号を着信拒否リストに登録し、迷惑電話などを着信しないといった方法がある。
【０００５】
さらに、最近、１歩進んだ技術として、着信時、一定時間は着信報知を行わないようにし、かつその一定時間内に発呼側が切断したときは着信履歴を残さないようにする技術が考えられている。
【０００６】
【発明が解決しようとする課題】
しかし、従来、着信拒否電話番号を着信拒否リストに登録して着信拒否を行う場合は、着信拒否の電話番号そのものを着信拒否リストに入力したり、電話番号そのものでなくても入力指示の操作などを行わなければならず、着信拒否リストへの登録が面倒であった。
【０００７】
本発明は上記の点に鑑みなされたもので、着信拒否電話番号の着信拒否リストへの登録が簡単になる電話機を提供することを目的とする。
【０００８】
【課題を解決するための手段】
本発明の電話機は、通信手段と、記憶手段と、操作手段と、前記記憶手段に記憶した着信拒否リストに登録した電話番号からの着信については着信報知を行わないよう制御する制御手段とを備えた電話機において、前記制御手段は、着信が発生すると計時を開始し、所定時間以上呼び出しの継続しなかった着信について、その発信者電話番号を前記着信拒否リストに登録することを特徴とする。
【０００９】
より好ましい例として、前記制御手段は、前記計時を開始してから前記所定時間内の間に前記操作手段による応答操作がなされた場合にも前記計時を継続し、前記所定時間を計時するまでに切断のなされた着信について、その発信者電話番号を前記着信拒否リストに登録するものとする。また、前記制御手段は、前記計時を、電話帳に登録されていない電話番号からの着信に対して行うよう制御するものとする。
【００１０】
【発明の実施の形態】
次に添付図面を参照して本発明による電話機の実施の形態を詳細に説明する。図１は本発明の電話機の実施の形態、すなわち携帯電話機を示すブロック図である。この携帯電話機は、制御手段としての制御部１０、通信手段としての送受信部２０、記憶手段としての記憶部３０、判定部４０、表示部５０、鳴動部６０、および操作手段としての操作部７０を有する。
【００１１】
制御部１０は、この携帯電話機の全体を制御する。さらに、制御部１０は計時手段を備え、例えば着信時、所定時間の計時を開始する。所定時間は操作部７０の操作により使用者が任意に設定でき、例えば１秒〜１０秒である。送受信部２０は、アンテナ２１が接続され、制御部１０の制御の下、基地局との通信を行う。表示部５０はＬＣＤあるいは有機ＥＬ等からなり、各種の情報を表示する。鳴動部６０は、着信およびメール受信を報知するもので、スピーカ６１およびバイブレータ６２を有し、スピーカ６１で音により着信およびメール受信を報知できるとともに、バイブレータ６２で振動により着信およびメール受信を報知できる。操作部７０は多数のキーを有し、各種の情報を入力し、かつ各種の設定を行う。記憶部３０は電話帳や着信拒否リストを記憶する。この着信拒否リストに着信拒否の電話番号を登録できる。さらに、記憶部３０は発着信履歴等を記憶する。判定部４０は各種の判定、例えば着信時、発信者番号通知で得られた発信者電話番号が前記電話帳や着信拒否リストに登録されているか判定する。
【００１２】
このように構成された携帯電話機においては、着信時、発信者番号通知で得られた発信者電話番号が記憶部３０内の着信拒否リストに登録されているか判断し、もし登録されていると着信報知動作を行わない（すなわち、着信拒否動作を行う）。一方、発信者電話番号が着信拒否リストに登録されていないと、制御部１０内の計時手段により所定時間の計時が開始され、この所定時間以内に着信呼切断になると（例えば着信がワン切りであって、所定時間以上呼び出しが継続しない場合は）、そのときの発信者電話番号が制御部１０の動作により記憶部３０の着信拒否リストに自動的に登録される。したがって、その発信者電話番号よりの次回からの着信に関しては、着信拒否動作となる。
【００１３】
また、上記のようにして着信状態になったときに操作部７０を操作して例えばメール作成中であったとすると、応答しようと思わなくても応答状態となることがある。しかし、そのときの着信が例えばワン切りであったとすると、応答後直ぐに着信呼切断となる。したがって、応答しても、前記所定時間以内に着信呼切断したときは、そのときの発信者電話番号を着信拒否リストに登録可能とするが、全てのワン切りが有害業者からのワン切りとは限らず、例えば友人同士で電話番号を教えあう際のワン切りや間違い電話によるワン切りもあり得るので、応答した場合は、発信者電話番号を着信拒否リストに登録するか、電話帳に登録させるか、あるいは着信拒否リスト及び電話帳のいずれにも登録させないといったガイダンスを表示部５０に表示させ、使用者の選択により、電話帳および着信拒否リストの一方に発信者電話番号を登録させる。
【００１４】
上記のような動作の詳細が図２のフローチャートに示されており、以下詳述する。ステップＳ１で着信があると、発信者番号通知で得られた発信者電話番号が電話帳に登録済か判断され（ステップＳ２）、もし登録されていれば通常の着信報知動作となる（ステップＳ３）。一方、発信者電話番号が電話帳に登録されていなければ、ステップＳ４に進んで、迷惑電話の防止機能の設定がオンされているか判断され、もし設定がオンされていなければ、電話帳に登録されていない発信者電話番号でもステップＳ３の通常の着信報知動作となる
【００１５】
一方、迷惑電話の防止機能の設定がオンされていれば（ステップＳ４）、ステップＳ５に進んで、発信者電話番号が着信拒否リストに登録されているか判断される。そして、ステップＳ５で発信者電話番号が着信拒否リストに登録されていると判断されると、着信報知動作が行われなくなり（ステップＳ６）、かつ発信者電話番号が着信履歴に登録されない（ステップＳ７）。一方、発信者電話番号が着信拒否リストに登録されていなければ、ステップＳ８に進んで所定時間の計時が開始される。そして、その所定時間内に応答状態にならず（ステップＳ９）、逆に着信呼切断になると（ステップＳ１０）、発信者電話番号が自動的に着信拒否リストに登録される（ステップＳ１１）。一方、所定時間内に着信呼切断にならず（ステップＳ１０）、所定時間が経過してタイムアウトになると（ステップＳ１２）、通常の着信報知動作となる（ステップＳ１３）。したがって、発信者電話番号が電話帳および着信拒否リストに登録されていない通常の着信の場合も、着信報知は着信から所定時間内は行われず、所定時間が経過してから行われる。
【００１６】
一方、操作部７０を操作して例えばメール作成中にワン切り着信があったりして所定時間以内に応答状態（ステップＳ９）になると通話状態（ステップＳ１４）となるが、直ぐに（すなわち、所定時間以内に）切断状態になると（ステップＳ１５）、発信者電話番号を着信拒否リストに登録するか電話帳に登録するかあるいはいずれの登録も行なわない、のガイダンス表示が表示部５０に行われる（ステップＳ１６）。そして、そのガイダンス表示を見て使用者が操作部７０の操作により“電話帳”を選択すると（ステップＳ１７）、そのときの発信者電話番号が電話帳に登録される（ステップＳ１８）。一方、ステップＳ１７で“着信拒否リスト”を選択すると、ステップＳ１１に進んで発信者電話番号が着信拒否リストに登録される。なお、ステップＳ１５で切断状態とならなくても、所定時間が経過してタイムアウトになると（ステップＳ１９）、通話状態（ステップＳ１４）が終了する。
【００１７】
このように、上記の携帯電話機によれば、呼び出しが所定時間以上継続しない着信に関しては、そのときの発信者電話番号を自動的に着信拒否リストに登録するようにしたので、着信拒否リストへの着信拒否電話番号の登録が容易になる。また、所定時間以内に応答した着信に関しては、ガイダンス表示を経て電話帳登録と着信拒否リスト登録を選択できるようにしたので、使い勝手がより向上する。
【００１８】
なお、応答しても所定時間以内に切断した着信に関しては、発信者電話番号を自動的に直ちに着信拒否リストに登録するようにすることもできる。すなわち、ステップＳ１５から直接ステップＳ１１に移るようにする。
【００１９】
また、以上の説明と図１のフローチャートから分かるように、所定時間の計時、延いては着信拒否リストへの登録は、発信者電話番号が電話帳に登録されてなく、かつ着信拒否リストに登録されていない発信者電話番号に対して行われる。
【００２０】
また、上記の実施の形態は本発明を携帯電話機に適用した場合であるが、勿論本発明は家庭用の固定電話機等にも適用できる。
【００２１】
【発明の効果】
以上のように本発明の電話機によれば、着信拒否電話番号の着信拒否リストへの登録が簡単になる。
【図面の簡単な説明】
【図１】
本発明による電話機の実施の形態を示すブロック図。
【図２】
本発明の実施の形態の動作を示すフローチャート。
【符号の説明】
１０  制御部
２０  送受信部
２１  アンテナ
３０  記憶部
４０  判定部
５０  表示部
６０  鳴動部
６１  スピーカ
６２  バイブレータ
７０  操作部
【図１】
2004328551.tif 000003
【図２】
2004328551.tif 000004